(57)【特許請求の範囲】
【請求項１】
学習者が利用する学習者端末と、複数の該学習者端末を管理するコントロールパソコンと、前記学習者端末からのコンテンツへのアクセスを管理するマネージメントサーバと、前記学習者端末から入力されたサインオンを行うためのサインオン情報の認証を行う認証サーバとが電気通信回線を介して接続されたシングルサインオンシステムであって、
前記学習者端末が、
前記システムにサインオンするための前記サインオン情報を入力する入力手段と、
前記サインオン情報を前記認証サーバへ送信する端末側送受信手段とを有し、
前記認証サーバが、
前記サインオン情報を受信する認証サーバ送受信手段と、
前記サインオン情報を認証するための認証情報を記憶している認証情報データベースと、
前記サインオン情報と前記認証情報とを認証する認証手段とを有し、
前記認証が認められた際に、前記学習者端末が前記サインオン情報と共に前記学習者端末のＩＰアドレスを前記コントロールパソコンへと送信し、
前記コントロールパソコンが、
前記サインオン情報及び前記ＩＰアドレスを記憶する第一のサインオン情報記憶手段と、
前記サインオン情報及び前記ＩＰアドレスを前記マネージメントサーバに送信するコントロールパソコン送受信手段とを有し、
前記マネージメントサーバが、
前記サインオン情報及びＩＰアドレスを記憶する第二のサインオン情報記憶手段と、
前記学習者端末からコンテンツ要求を受信した際に、要求元学習者端末のＩＰアドレスに対応する前記サインオン情報が前記第二のサインオン情報記憶手段に記憶されているか否かを判定し、記憶されていると判定した場合には前記要求元学習者端末の利用者が前記認証サーバによって既に前記認証が認められた正規の利用者であると判断して、再度認証を行うこと無く前記要求元学習者端末からのコンテンツへのアクセスを許可し、前記コンテンツ要求に応じて当該コンテンツを提供するコンテンツサーバと、を有する
ことを特徴とするシングルサインオンシステム。
【請求項２】
前記マネージメントサーバが、
少なくとも講義の時間割である講義情報を記憶している講義情報データベースを有し、
前記コントロールパソコンが、
前記講義情報を要求する講義情報要求手段と、
取得した前記講義情報を記憶する講義情報記憶手段と、
講義の開始終了のシグナルが入力される講義開始終了入力手段とを有し、
更に前記マネージメントサーバが、
前記講義開始終了入力手段のシグナルから講義情報を特定する講義情報特定手段と、
少なくとも前記学習者の受講可能な科目を含む学習者情報を記憶している学習者情報記憶手段と、
前記サインオン情報と前記学習者情報とを比較する比較手段とを有し、
前記比較手段により前記学習者が受講可能と判断された際に、前記サインオン情報及び前記ＩＰアドレスを前記第二のサインオン情報記憶手段に記憶する請求項１に記載のシングルサインオンシステム。
【請求項３】
前記マネージメントサーバが、前記比較手段が前記学習者を受講不可と判断した際に、前記学習者端末に対して受講不可の応答を行う第一の応答手段を有する請求項２に記載のシングルサインオンシステム。
【請求項４】
前記コンテンツサーバを前記マネージメントサーバとは別のサーバに備えた構成としている請求項１乃至３のいずれかに記載のシングルサインオンシステム。
【請求項５】
前記コンテンツサーバが更に、
前記コンテンツ要求を受信した際に、前記要求元学習者端末のＩＰアドレスに対応する前記サインオン情報が前記第二のサインオン情報記憶手段に記憶されていないと判定した場合に、前記学習者端末に対してその旨を応答する第二の応答手段を含む請求項１乃至４のいずれかに記載のシングルサインオンシステム。
【請求項６】
前記学習者端末からログオフの入力があった際に、前記第一及び前記第二のサインオン情報記憶手段がそれぞれ記憶している前記学習者端末の情報を消去する請求項１乃至５のいずれかに記載のシングルサインオンシステム。
【請求項７】
前記講義開始終了入力手段から、講義終了のシグナルが入力された際に、前記第一及び第二のサインオン情報記憶手段がそれぞれ記憶している全ての前記学習者端末の情報を消去する請求項２乃至６のいずれかに記載のシングルサインオンシステム。
【発明の詳細な説明】
【技術分野】
【０００１】
本発明は、学習者より入力された一度のサインオン情報のみで、システムにサインオンすると同時に、コンテンツをも参照可能にする学習用シングルサインオンシステムに関する。
【背景技術】
【０００２】
従来、学習者は認証情報を学習者端末より入力し、認証サーバにおいてこの認証情報を認証することにより学習用ネットワークにサインオンしていた。
【０００３】
その後、学習用サーバから学習用のコンテンツを学習者端末に呼び出すために、さらに学習者端末にサインオンする必要があった。
【０００４】
このため、学習者ネットワークにサインオンするための認証情報と、学習用端末にサインオンするための認証情報とを含む少なくとも二つの認証情報を学習者端末から入力する必要があった。
【０００５】
特許文献１は、ユーザとコンピュータが最初に第１ウェブサイトにアクセスすると、第１ウェブサーバは、ユーザコンピュータとの間で第１認証用データの要求送信・応答受信を行い、受信した第１認証用データに基づく認証確認とを行い、第１認証用データに関連づけされた個人顧客コードのクッキーを作成し、そのクッキーをウェブページと共にユーザコンピュータへ送信する。その後、ユーザコンピュータが第１ウェブサーバとのセッション中に第２ウェブサイトにアクセスすると、第２ウェブサーバは、ユーザコンピュータからクッキーを取得し、そこに含まれる個人顧客コードが有効であれば認証用データを要求せずにウェブページをユーザコンピュータへ送信するシングルサインオンシステムである。
【特許文献１】特開２００３−３２３４０９
【発明の開示】
【発明が解決しようとする課題】
【０００６】
しかしながら、上述のような二度以上のサインオンが必要となる学習用システムでは、該学習用システムにサインオンした後に、さらに学習用サーバへとサインオンして学習用コンテンツを呼び出す必要があるために、サインオンから認証までの一連の動作が重複してしまっていた。また、学習が授業形態で行われる場合には、全員が学習用コンテンツのダウンロードを終了するまで授業を開始または再開することができずに、授業が滞ってしまっていた。
【０００７】
一方、引用文献１に記載された発明は、第１のウェブサーバにて認証を行った後、第１のウェブサーバに接続したまま第２のウェブサーバに接続する場合に、共通の個人顧客コードをクッキーに保存して利用することで複数のウェブサーバに接続することを実現しているが、少なくとも２つのウェブサーバ間で発行した個人顧客コードを共有するサーバ等が必要となり、従来のシステム上で利用するのは困難である。
【０００８】
そこで本発明の目的は、上記の問題点に鑑み、従来使用されている学習システムを用い、コントロールパソコンにおいて学習者の認証情報を保持し、ＩＰアドレスをマネージメントサーバへと転送することで、授業の滞らない学習用シングルサインオンシステムを提供する。
【課題を解決するための手段】
【０００９】
本発明は、学習者より入力された一度のサインオン情報のみで、システムにサインオンすると同時に、コンテンツをも参照可能にする学習用シングルサインオンシステムに関し、本発明の上記目的は、学習者が利用する学習者端末と、複数の該学習者端末を管理するコントロールパソコンと、前記学習者端末へのコンテンツ提供を管理するマネージメントサーバと、前記学習者端末から入力されたサインオンを行うためのサインオン情報の認証を行う認証サーバとが電気通信回線を介して接続されたシングルサインオンシステムであって、前記学習者端末が、前記システムにサインオンするための前記サインオン情報を入力する入力手段と、前記サインオン情報を前記認証サーバへ送信する端末側送受信手段とを有し、前記認証サーバが、前記サインオン情報を受信する認証サーバ送受信手段と、前記サインオン情報を認証するための認証情報を記憶している認証情報データベースと、前記サインオン情報と前記認証情報とを認証する認証手段とを有し、前記認証が認められた際に、前記学習者端末が前記サインオン情報と共に前記学習者端末のＩＰアドレスを前記コントロールパソコンへと送信し、前記コントロールパソコンが、前記サインオン情報及び前記ＩＰアドレスを記憶する第一のサインオン情報記憶手段と、前記サインオン情報及び前記ＩＰアドレスを前記マネージメントサーバに送信するコントロールパソコン送受信手段とを有し、前記マネージメントサーバが、前記サインオン情報及びＩＰアドレスを記憶する第二のサインオン情報記憶手段と、前記学習者端末からコンテンツ要求を受信した際に、要求元学習者端末のＩＰアドレスに対応する前記サインオン情報が前記第二のサインオン情報記憶手段に記憶されているか否かを判定し、記憶されていると判定した場合には前記要求元学習者端末の利用者が前記認証サーバによって既に前記認証が認められた正規の利用者であると判断して、再度認証を行うこと無く前記要求元学習者端末からのコンテンツへのアクセスを許可し、前記コンテンツ要求に応じて当該コンテンツを提供するコンテンツサーバと、を有することによって達成される。
【００１０】
また、本発明の上記目的は、前記マネージメントサーバが、少なくとも講義の時間割である講義情報を記憶している講義情報データベースを有し、前記コントロールパソコンが、前記講義情報を要求する講義情報要求手段と、取得した前記講義情報を記憶する講義情報記憶手段と、講義の開始終了のシグナルが入力される講義開始終了入力手段とを有し、更に前記マネージメントサーバが、前記講義開始終了入力手段のシグナルから講義情報を特定する講義情報特定手段と、少なくとも前記学習者の受講可能な科目を含む学習者情報を記憶している学習者情報記憶手段と、前記サインオン情報と前記学習者情報とを比較する比較手段とを有し、前記比較手段により前記学習者が受講可能と判断された際に、前記サインオン情報及び前記ＩＰアドレスを前記第二のサインオン情報記憶手段に記憶することにより、或は前記マネージメントサーバが、前記比較手段が前記学習者を受講不可と判断した際に、前記学習者端末に対して受講不可の応答を行う第一の応答手段を有することにより、或は前記コンテンツサーバを前記マネージメントサーバとは別のサーバに備えた構成とすることにより、或は前記コンテンツサーバが更に、前記コンテンツ要求を受信した際に、前記要求元学習者端末のＩＰアドレスに対応する前記サインオン情報が前記第二のサインオン情報記憶手段に記憶されていないと判定した場合に、前記学習者端末に対してその旨を応答する第二の応答手段を含むことにより、或は前記学習者端末からログオフの入力があった際に、前記第一及び前記第二のサインオン情報記憶手段がそれぞれ記憶している前記学習者端末の情報を消去することにより、或は前記講義開始終了入力手段から、講義終了のシグナルが入力された際に、前記第一及び第二のサインオン情報記憶手段がそれぞれ記憶している全ての前記学習者端末の情報を消去することにより、より効果的に達成される。
【発明の効果】
【００１１】
本発明に係る学習用シングルサインオンシステムによれば、学習者端末から一度のサインオン入力で、該システムへのサインオンと学習用コンテンツを呼び出すためのマネージメントサーバへのサインオンとが行われることにより、マネージメントサーバへのサインオン入力を省くことができる。
【００１２】
これにより、授業途中に全員がサインオンを完了するための時間を割くことがなくなり、授業を滞りなく進めることができる。
【００１３】
サインオンした情報はコントロールパソコンに登録されるため、出欠席をコントロールパソコンにて判別できる。
【００１４】
また、サインアウトについても一度のサインアウトにより完了できるため、その手間を軽減することができる。
【発明を実施するための最良の形態】
【００１５】
本発明は、一度のサインオン情報を利用して、ネットワークへのサインオンを行うと共に、マネージメントサーバにもサインオンすることでコンテンツを学習者端末へ提供する学習用シングルサインオンシステムである。
【００１６】
以下、図面を用いて説明する。
【００１７】
図１は本システムの全体を表す概略図である。
【００１８】
本システムは、学習者が利用する学習者端末１と、学習者端末１のネットワークへのサインオンを管理するコントロールパソコン２と、前記学習者から入力された認証情報を認証する認証サーバ４と、コンテンツを有するコンテンツサーバ５を管理するマネージメントサーバ３と、コンテンツを記憶したコンテンツサーバ５とから構成されている。
【００１９】
学習者端末１は、コントロールパソコン２と、認証サーバ４と、少なくとも一つのコンテンツサーバ５と接続されており、コントロールパソコン２は学習者端末１と、マネージメントサーバ３と接続されている。
【００２０】
マネージメントサーバ３はコントロールパソコン２と、認証サーバ４と、少なくとも一つのコンテンツサーバ５と接続されている。
【００２１】
なお、学習者端末１に提供するコンテンツの種類、容量等がより少ない場合にはマネージメントサーバ３内にコンテンツを格納し、コンテンツサーバ５を略した構造とすることもできる。
【００２２】
図２は学習者端末１の構成図である。
【００２３】
学習者端末１は、学習者からの入力を受け付ける入力手段１１と、学習用コンテンツ等を表示するための表示手段１３と、コントロールパソコン２、認証サーバ４及びコンテンツサーバ５とデータの送受信を行う端末側送受信手段１２とから構成されている。
【００２４】
図３はコントロールパソコン２の構成図である。
【００２５】
コントロールパソコン２は、学習者端末１から送信されるサインオン情報を記憶する第一のサインオン情報記憶手段２１と、少なくとも講義の時間割を含む講義情報をマネージメントサーバ３に要求する講義情報要求手段２２と、学習者端末１のサインオンを管理するサインオン管理手段２３と、取得した講義情報を記憶する講義情報記憶手段２４と、講義の開始終了のシグナルが入力される講義開始終了入力手段２５と、学習者端末１及びマネージメントサーバ３とデータの送受信を行うコントロールパソコン送受信手段２６とから構成されている。
【００２６】
図４は、マネージメントサーバ３の構成図である。
【００２７】
マネージメントサーバ３は、コントロールパソコン２から送信される講義の開始終了のシグナルを受けて、講義を特定する講義情報特定手段３１と、講義情報が記憶されている講義情報データベース３２と、少なくとも学習者の受講可能な科目を含む学習者情報を記憶している学習者情報データベース３３と、コントロールパソコン２から送信されるサインオン情報と学習者情報とを比較する比較手段３４と、比較手段３４により比較された結果が受講不可である場合にコントロールパソコン２に対してその旨の応答を行う第一の応答手段３５と、比較手段３４により比較された結果が受講可能である場合に送信されたサインオン情報を記憶する第二のサインオン情報記憶手段３６と、コントロールパソコン２、認証サーバ４及びコンテンツサーバ５とデータの送受信を行うマネージメントサーバ送受信手段３７とから構成されている。
【００２８】
図５は、認証サーバ４の構成図である。
【００２９】
認証サーバ４は、学習者端末１から送信されたサインオン情報の認証を行う認証手段４１と、学習者端末１及びマネージメントサーバ３とデータの送受信を行う認証サーバ送受信手段４２と、サインオン情報を認証するための認証情報を記憶している認証情報データベース４３とから構成されている。
【００３０】
図６は、コンテンツサーバ５の構成図である。
【００３１】
コンテンツサーバ５は、第二のサインオン情報記憶手段に記憶されたサインオン情報を取得するサインオン情報取得手段５１と、コンテンツの管理を行うコンテンツ管理手段５２と、コンテンツが記憶されたコンテンツデータベース５３と、コンテンツ管理手段５２においてコンテンツ提供が不可であると判断された場合に学習者端末１へとその旨を応答する第二の応答手段５４と、学習者端末１及びマネージメントサーバ３とデータの送受信を行うコンテンツサーバ送受信手段５５とから構成されている。
【００３２】
以下、上記の構成を利用して本システムの流れをフローチャートを用いて説明する。
【００３３】
講義を始める場合には、コントロールパソコン２にて講義開始のシグナルが入力され、マネージメントサーバ３に通知されることによって講義開始が特定される。
【００３４】
図７は、コントロールパソコン２からマネージメントサーバ３へと講義開始のシグナルが入力されるフローチャートである。
【００３５】
コントロールパソコン２は、接続されている複数の学習者端末１を管理するコンピュータであり、講義の開始終了をコントロールする。このため、コントロールパソコン２は講義情報を格納している必要がある。なお、講義情報とは通常時間割を示し、講義の科目、時間等がテーブルとしてデータ化されている。
【００３６】
まず、コントロールパソコン２内の講義情報格納手段２４に講義情報が記憶されているか否かを講義情報要求手段２２が判断する（ステップＳ１０１）。講義情報が記憶されている場合には、記憶されている講義情報がマネージメントサーバ３の講義情報データベース３２に記憶されている講義情報の更新が無いかについてもチェックを行う(ステップＳ１０２)。講義情報が記憶されていない場合及び講義情報の変更がある場合には、講義情報要求手段２２がマネージメントサーバ３の講義情報データベース３２から講義情報を取得して、講義情報記憶手段２４へと記憶する（ステップＳ１０３）。これによりコントロールパソコン２内に記憶されている講義情報は常にマネージメントサーバ３と同期が取られている。
【００３７】
講義を開始する（ステップＳ１０４  ＹＥＳ）ためには、講義を特定して講義開始終了入力手段２５から開始シグナルを入力してマネージメントサーバ３へと送信する（ステップＳ１０５）。開始シグナルには講義科目の特定についても含んでいる。また、マネージメントサーバ３に接続されるコントロールパソコン２が複数存在する場合には、コントロールパソコン２を特定する情報(ＩＰアドレス、ＭＡＣアドレス、シリアルナンバー等)をも含むのが望ましい。
【００３８】
マネージメントサーバ３の講義情報特定手段３１では、この開始シグナルを感知して、講義情報データベース３２から講義情報を特定し、コントロールパソコン２の情報と共に登録することでマネージメントサーバ３に認知される（ステップＳ１０６）。
【００３９】
その後、学習者が学習者端末１から本システムへのサインオンが開始される。
【００４０】
講義を開始せず、講義情報記憶のみの場合（ステップＳ１０４  ＮＯ）には、そのまま終了する。
【００４１】
なお、コントロールパソコン２内に内蔵されているタイマー（図示せず）を利用して、自動的に開始、終了のシグナルが入力されるようにしても良い。この場合は、記憶されている講義情報を基にして設定されている時間割の時間毎にシグナルが入力される。
【００４２】
図８は、学習者が本システムにサインオンした際のフローチャートである。
【００４３】
学習者は、利用可能な任意の学習者端末１からサインオンを行う。サインオンは、この学習者端末１の入力手段１１を利用して本システムにサインオンするためのサインオン情報を入力する（ステップＳ２０１）。サインオン情報とは、予め各学習者に対して発行されているＩＤ、パスワード等である。
【００４４】
入力されたサインオン情報は、端末側送受信手段１２により認証サーバ４へと送信され、認証情報データベース４３に予め記憶されている認証情報（ＩＤ、パスワード等）と認証手段４１により認証される（ステップＳ２０２）。
【００４５】
認証に失敗した場合（ステップＳ２０３  ＮＯ）には、学習者端末１に認証手段４１が認証に失敗した旨を認証サーバ送受信手段４２を介して送信し、学習者端末１にて再度の入力を促す。
【００４６】
認証に成功した場合（ステップＳ２０３  ＹＥＳ）には、認証手段１が学習者端末１に認証に成功した旨を認証サーバ送受信手段４２を介して送信する。
【００４７】
認証に成功した旨の情報を得た学習者端末１は、学習者側送受信手段１２を介してコントロールパソコン２へとサインオン情報と共にこの学習者端末１のＩＰアドレスを通知することによってサインオンが行われる（ステップＳ２０４）。
【００４８】
サインオン情報とＩＰアドレスをコントロールパソコン送受信手段２６にて受信したコントロールパソコン２は、サインオン管理手段２３にて該当する学習者がサインオンしたことを感知し、得られたサインオン情報及びＩＰアドレスを第一のサインオン情報記憶手段２１に記憶する（ステップＳ２０５）。これにより、誰がどこの学習者端末にてサインオンを行っているのかをコントロールパソコン２で判別できるようにしている。
【００４９】
コントロールパソコン２に記憶されたサインオン情報及びＩＰアドレスは、さらにマネージメントサーバ３に送信される（ステップＳ２０６）。
【００５０】
マネージメントサーバ３では、マネージメントサーバ送受信手段３７がこのサインオン情報及びＩＰアドレスを受信し、学習者情報データベース３３に記憶されている学習者情報と比較手段３４によって比較される（ステップＳ２０７）。この学習者情報とは、少なくとも学習者が履修している講義の科目について及びサインオン情報である。なお、認証サーバ４の認証情報データベース４３に記憶されている認証情報も同内容のデータを有すると、より柔軟性がある。一例として、認証サーバ４の認証情報データベース４３に記憶されている認証情報のデータ更新があった際に、学習者情報データベース３３に記憶されている学習者情報の更新がされるように同期していれば、一度の更新で２つのデータベースを更新することが可能である。
【００５１】
比較手段３４は、この学習者情報に登録されている学習者の履修している講義の科目と講義情報特定手段３１にて特定されている学習者が所属しているコントロールパソコン２の講義情報とを比較し、合致するか否かを判定する(ステップＳ２０８)。
【００５２】
正規の学習者であると判断された場合には、第二のサインオン情報記憶手段３６に、サインオン情報、ＩＰアドレスが記憶される（ステップＳ２１０）。
【００５３】
正規の学習者でないと判断された場合には、第一の応答手段３５がコントロールパソコン２を介して学習者端末１にマネージメントサーバ３にサインオンできない旨のメッセージ等を応答し（ステップＳ２０９）、終了する。
【００５４】
次に登録された学習者に対して、コンテンツを提供する場合を説明する。
【００５５】
図９は、学習者が利用する学習者端末１に対してコンテンツを提供する際のフローチャートである。ここでは、マネージメントサーバ３とは別にコンテンツサーバ５が存在する場合についてを説明する。
【００５６】
学習者端末１はコンテンツを要求する場合、入力手段１１より入力されたコンテンツ要求がコンテンツサーバ５１に対して端末側送受信手段１２にて送信される（ステップＳ３０１）。
【００５７】
送信されたコンテンツ要求は、コンテンツサーバ５のコンテンツサーバ送受信手段５５にて受信される。なおコンテンツ要求には、ＩＰアドレス、およびコンテンツ内容についての情報が含まれている。
【００５８】
コンテンツサーバ５では、受信したコンテンツ要求に基づいて、サインオン情報取得手段５１がマネージメントサーバ３の第二のサインオン情報記憶手段３６に記憶されたサインオン情報および／またはＩＰアドレス、講義情報特定手段３１において登録されている学習者が所属するコントロールパソコン２の特定された講義情報についてを取得する（ステップＳ３０２）。なお、第二のサインオン情報記憶手段３６に予め特定された講義の講義情報についても記憶させるようにしておき、サインオン情報取得手段５１が取得するデータを第二のサインオン情報記憶手段３６に集約しておくことも可能である。
【００５９】
コンテンツ情報管理手段５２は、コンテンツ要求の際に送信されたＩＰアドレスおよびこのコンテンツサーバ５が有しているコンテンツの科目と、サインオン情報取得手段５１が取得したサインオン情報および／またはＩＰアドレスおよび特定された講義情報とを比較し、正規の学習者か否かを判断する（ステップＳ３０３）。
【００６０】
正規の学習者である場合には、コンテンツ情報管理手段５２がコンテンツデータベース５３からコンテンツ要求をした学習者端末１に対してコンテンツを提供し、学習者端末１ではこのコンテンツを表示手段１３を利用して利用できる（ステップＳ３０４）。
【００６１】
正規の学習者でない場合には、第二の応答手段５４が正規の学習者でない旨のメッセージ等をコンテンツ要求をした学習者端末１に送信（ステップＳ３０５）、通知され終了する。
【００６２】
上述した、コンテンツサーバ５がマネージメントサーバ３に含まれている場合には、学習者端末１はマネージメントサーバ３と接続がされている全体構成となる。
【００６３】
この場合、コンテンツ要求はマネージメントサーバ３になされ、このコンテンツ要求と、マネージメントサーバ３の第二のサインオン情報記憶手段に記憶された情報および特定された講義情報とが比較され、コンテンツの提供がなされる。提供するコンテンツ量、種類が少なく、セキュリティが保たれる場合であればこのような構成であっても可能である。
【００６４】
次に学習者が本システムからサインアウトする場合を説明する。
【００６５】
図１０は、学習者端末１が本システムからサインアウトする際のフローチャートである。
【００６６】
学習者が本システムからサインアウトする場合（ステップＳ４０１  ＹＥＳ）には、学習者端末１にサインアウトのシグナルが入力手段１１より入力され、端末側送受信手段１２を利用してコンテンツサーバへと送信される（ステップＳ４０２）。
【００６７】
サインアウトのシグナルを受信したコントロールパソコン２では、サインオン管理手段２３が第一のサインオン情報記憶手段２１に記憶されているサインオン情報、ＩＰアドレスを削除し、さらにマネージメントサーバ３へこのシグナルを送信する（ステップＳ４０３）。
【００６８】
サインアウトのシグナルを受信したマネージメントサーバ３では、第二のサインオン情報記憶手段３６に記憶されたサインオン情報、ＩＰアドレスを削除し（ステップＳ４０４）、学習者端末１の本システムからのサインアウトは完了し、その他接続している学習者端末１は、コントロールパソコン２の講義終了のシグナル、またはそれぞれの学習者端末１からのサインアウトの入力によって本システムからサインアウトする。
【００６９】
複数の学習者端末１をコントロールパソコン２の講義終了のシグナル入力によって、強制的に本システムからサインアウトさせる場合には、学習者端末１はサインアウトのシグナルを入力しておらず（ステップＳ４０１  ＮＯ）、コントロールパソコン２の講義開始終了入力手段２５から講義終了のシグナルが入力される（ステップＳ４０５  ＹＥＳ）。このシグナルが入力されない場合（ステップＳ４０５  ＮＯ）にはステップＳ４０１に戻り、各学習者端末１からのサインアウトのシグナルを待つ。
【００７０】
講義終了のシグナルが入力されると、コントロールパソコン２の第一のサインオン情報記憶手段２１に記憶されているサインオン情報およびＩＰアドレスが削除され、さらにこのシグナルがマネージメントサーバ３へと送信される（ステップＳ４０６）。
【００７１】
マネージメントサーバ送受信手段３７でこのシグナルを受信したマネージメントサーバは、第二のサインオン情報記憶手段３６に記憶されているこのコントロールパソコン２に接続されている学習者端末１のサインオン情報およびＩＰアドレスを削除すると共に、講義情報特定手段３１にて登録されている講義情報の登録を解除し（ステップＳ４０７）、サインアウトは終了する。
【図面の簡単な説明】
【００７２】
【図１】本発明に係る、本システムの全体を表す概略図である。
【図２】本発明に係る、学習者端末の構成図である。
【図３】本発明に係る、コントロールパソコンの構成図である。
【図４】本発明に係る、マネージメントサーバの構成図である。
【図５】本発明に係る、認証サーバの構成図である。
【図６】本発明に係る、コンテンツサーバの構成図である。
【図７】本発明に係る、コントロールパソコンからマネージメントサーバへと講義開始のシグナルが入力されるフローチャートである。
【図８】本発明に係る、学習者が本システムにサインオンした際のフローチャートである。
【図９】本発明に係る、学習者が利用する学習者端末１に対してコンテンツを提供する際のフローチャートである。
【図１０】本発明に係る、学習者端末が本システムからサインアウトする際のフローチャートである。
【符号の説明】
【００７３】
１            学習者端末
２            コントロールパソコン
３            マネージメントサーバ
４            認証サーバ
５            コンテンツサーバ
１１          入力手段
１２          端末側送受信手段
１３          表示手段
２１          第一のサインオン情報記憶手段
２２          講義情報要求手段
２３          サインオン管理手段
２４          講義情報記憶手段
２５          講義開始終了入力手段
２６          コントロールパソコン送受信手段
３１          講義情報特定手段
３２          講義情報データベース
３３          学習者情報データベース
３４          比較手段
３５          応答手段
３６          第二のサインオン情報記憶手段
３７          マネージメントサーバ送受信手段
４１          認証手段
４２          認証サーバ送受信手段
４３          認証情報データベース
５１          サインオン情報取得手段
５２          コンテンツ情報管理手段
５３          コンテンツデータベース
５４          応答手段
５５          コンテンツサーバ送受信手段
【図１】
0004652710.tif 000002
【図２】
0004652710.tif 000003
【図３】
0004652710.tif 000004
【図４】
0004652710.tif 000005
【図５】
0004652710.tif 000006
【図６】
0004652710.tif 000007
【図７】
0004652710.tif 000008
【図８】
0004652710.tif 000009
【図９】
0004652710.tif 000010
【図１０】
0004652710.tif 000011